【事件の表示】
　特願２０１２−　　　５５６「無線通信システム及び無線基地局装置」拒絶査定不服審判事件〔平成２４年　４月１９日出願公開，特開２０１２−　８０５８４〕について，次のとおり審決する。
【結　論】
　本件審判の請求は，成り立たない。
【理　由】
１　手続の経緯・本願発明
　本願は，平成２２年１０月４日に出願した特願２０１０−２２４８２１号の一部を，平成２４年１月５日に新たな特許出願としたものであって，平成２６年１０月１０日付けで拒絶査定がなされ，これに対し，平成２７年１月２０日に拒絶査定に対する審判請求がなされたものである。
　その請求項１に係る発明は，明細書，特許請求の範囲及び図面の記載からみて，平成２６年９月２４日付け手続補正書により補正された特許請求の範囲の請求項１に記載された次のとおりのものと認める（以下，「本願発明」という。）。 
「【請求項１】
　複数の送信アンテナを用いた下りＭＩＭＯ伝送のために物理上り制御チャネルにＰＴＩ（Precoder　Type　Indicatior）を含めて移動端末装置から無線基地局装置にフィードバックするＬＴＥ−Ａ（Long　Term　Evolution−Advanced）の無線通信システムであって，
　前記移動端末装置は，複数の送信アンテナを用いた下りＭＩＭＯ伝送のために物理上り制御チャネルにＰＴＩ（Precoder　Type　Indicatior）を含めて無線基地局装置にフィードバックするモードにおいて，ＰＴＩの値が０の場合にレポート２及びレポート３に対応するフィードバック情報の送信周期を，ＰＴＩ＝１の場合のレポート２及びレポート３に対応するフィードバック情報の送信周期と異ならせて多重する多重部と，多重した信号を前記物理上り制御チャネルで無線基地局装置に送信する送信部と，を具備し，前記無線基地局装置は，前記物理上り制御チャネルを介して前記多重した信号を受信することを特徴とする無線通信システム。」
２　先願発明
　原査定の拒絶の理由に引用されたＰＣＴ／ＫＲ２０１１／００６８６８号（以下，「先願」という。）（国際公開第２０１２／０３６５１３号，特願２０１３−５２９０７２号，特表２０１３−５４１９００号公報，パリ条約による優先権主張外国庁受理　２０１０年９月１７日　米国）の国際出願日における国際出願の明細書，請求の範囲又は図面（以下，「先願明細書」という。）には，「SYSTEM AND METHOD FOR PUCCH SUBBAND FEEDBACK SIGNALING IN A WIRELESS NETWORK」（［当審仮訳］：無線ネットワークでＰＵＣＣＨサブバンドフィードバックのためのシステム及び方法）（［当審注］：当審仮訳は，先願の上記公表公報の記載に基づく。）に関し，図面とともに以下の事項が記載されている。 
（１）「[1] The present application relates generally to wireless networks and, more specifically, to feedback signaling for physical uplink control channel (PUCCH) subbands in Long Term Evolution Advanced (LTE-A) wireless systems.」（第１ページ）
（［当審仮訳］：
[1]　本発明は，一般的に無線ネットワークに関し，より詳細には，ＬＴＥ−Ａ（Ｌｏｎｇ  Ｔｅｒｍ  Ｅｖｏｌｕｔｉｏｎ  Ａｄｖａｎｃｅｄ）無線システムで物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）のためのフィードバックシグナリングに関する。）
（２）「[9] （省略）W1 is also referred to as a first PMI, and W2 is also referred to as a second PMI in this disclosure. The codebooks C1 and C2 are codebook 1 and codebook 2, respectively. （以下省略）」（第２ページ）
（［当審仮訳］：
[9]　（省略）本明細書で，Ｗ１は，また，第１ＰＭＩと呼ばれ，Ｗ２は，また，第２ＰＭＩと呼ばれる。コードブックＣ１及びＣ２は，各々コードブック１及びコードブック２である。（以下省略））
（３）「[11] In the RAN1 #62bis meeting, a way forward on the signaling for Physical Uplink Control Channel (PUCCH) subband feedback was agreed upon. Specifically, three PUCCH feedback modes are agreed with two (2) candidates for the extension of Rel-8 PUCCH mode 1-1 and one (1) candidate for the extension of Rel-8 PUCCH mode 2-1.
[12] More specifically, the candidate for the PUCCH subband feedback (extension of Rel-8 PUCCH mode 2-1) is as follows. A precoder, W, for a subband is determined from 3-subframe report conditioned upon the latest rank indicator (RI) report. The reporting format comprises 3 Reports. Report 1 includes RI and 1-bit precoder type indication (PTI). In Report 2, if PTI = 0, then W1 is reported. If PTI = 1, then wideband CQI and wideband W2 are reported. In Report 3, if PTI = 0, then wideband CQI and wideband W2 are reported. If PTI = 1, then subband CQI and subband W2 are reported. For 2 and 4 transmit (TS) antennas, the PTI value is assumed to be set to 1 and is not signaled.」（第３ページ）
（［当審仮訳］：
[11]　ＲＡＮ１  ＃６２ｂｉｓミーティングで，ＰＵＣＣＨ（Ｐｈｙｓｉｃａｌ  Ｕｐｌｉｎｋ  Ｃｏｎｔｒｏｌ  Ｃｈａｎｎｅｌ）サブバンドフィードバックのためのシグナリングに対する進展に対して同意した。特に，３ＰＵＣＣＨフィードバックモードは，リリース８ＰＵＣＣＨモード１−１の拡張のための２つ（２）の候補及びリリース８ＰＵＣＣＨモード２−１の拡張のための１つ（１）の候補に同意した。
[12]　より具体的に，ＰＵＣＣＨサブバンドフィードバックのための候補（リリース８ＰＵＣＣＨモード２−１の拡張）は，次の通りである。サブバンドのためのプリコーダーＷは，最近のランク指示子（ＲＩ）レポートに対する条件によって３サブフレームレポートから決定される。レポート形式は，３個のレポートを含む。第１レポートは，ランク指示子（ＲＩ）及び１ビットプリコーダー形式指示子（ＰＴＩ；ｐｒｅｃｏｄｅｒ  ｔｙｐｅ  ｉｎｄｉｃａｔｉｏｎ）を含む。第２レポートで，ＰＴＩ＝０なら，Ｗ１がレポートされる（ｒｅｐｏｒｔｅｄ）。ＰＴＩ＝１なら，ワイドバンドＣＱＩ及びワイドバンドＷ２がレポートされる。第３レポートで，ＰＴＩ＝０なら，ワイドバンドＣＱＩ及びワイドバンドＷ２がレポートされる。ＰＴＩ＝１なら，サブバンドＣＱＩ及びサブバンドＷ２がレポートされる。２及び４伝送アンテナに対して，ＰＴＩ値は，１に設定されるものと推定され，シグナリングされない。）
（４）「[52] In channel status indicator (CSI) mode 1, the extension of PUCCH mode 2-1 (i.e., subband feedback mode) allows both the subband feedback and the wideband feedback to be multiplexed in the same feedback mode, depending on the value of the precoder type indication (PTI). More specifically, when PTI = 0, both Report 2 and Report 3 are wideband reports and when PTI = 1, Report 2 is a wideband report, while Report 3 is a subband report. When PTI = 0, since Report 2 and Report 3 are both wideband, it is natural that the feedback periodicity of Report 2 and Report 3 are similar. However, when PTI = 1, Report 3 is a subband report, which means that the feedback periodicity of the Report 3 should be smaller relative to the feedback periodicity of Report 2.
[53] Let NP2 be the period of Report 2 and NP3 be the period of Report 3. By way of example, the unit of the period of both reports may be subframes. Then:
[54] H = NP2/NP3 + 1,
[55] where NP2/NP3 is the ratio between the period of Report 2 and the period of Report 3. It is noted that the period ratio depends on the PTI value. Thus, in an advantageous embodiment of the disclosure, the value of H depends on the value of PTI. For example, when PTI = 0, H = 2 or 3, and when PTI = 1, H = J*K + 1, where J is the number of bandwidth parts and K is a constant that may be signalled from the base station (eNB) using higher layer signalling. In another example, when PTI = 0, the value of H may be signalled by higher layers and when PTI = 1, then H = J*K + 1, where J is the number of bandwidth parts and K is a constant signalled by the base station using higher layer signalling.
[56] Let NP1 be the period of Report 1, then:
[57] M = NP1/NP2.
[58] In an advantageous embodiment of the disclosure, the value of M also depends on the value of PTI. Furthermore, let M0 and H0 be the periodicity ratios when PTI = 0, and let M1 and H1 be the periodicity ratios when PTI = 1. Then, then the following condition among the four quantities holds:
[59] H0 * M0 = H1 * M1.
[60] For a particular example, assume 10 MHz total system bandwidth. Accordingly, J = 3 bandwidth parts (BPs). If K = 1, then H1 = 4. If M1 = 2, then H1*M1 = 4*2 = 8 = H0*M0 = 2*4.
[61] In some embodiments of the disclosure, the exact value of H and/or M may be signalled using higher layer signalling.
[62] The feedback reports from mobile station (MS) to base station (BS) are seen more clearly in FIGURE 4 and FIGURE 5.」（第９〜１０ページ）
（［当審仮訳］：
[52]　チャネル状態指示子（ＣＳＩ；ｃｈａｎｎｅｌ  ｓｔａｔｕｓ  ｉｎｄｉｃａｔｏｒ）モード１で，ＰＵＣＣＨモード２−１の拡張（すなわち，サブバンドフィードバックモード）は，プリコーダー形式指示子（ＰＴＩ；ｐｒｅｃｏｄｅｒ  ｔｙｐｅ  ｉｎｄｉｃａｔｉｏｎ）の値によって，サブバンドフィードバック及びワイドバンドフィードバックの両方が同一のフィードバックモードで多重化されるようにする。さらに詳細には，ＰＴＩ＝０であるとき，第２レポート及び第３レポートの両方は，ワイドバンドレポートであり，ＰＴＩ＝１であるとき，第２レポートは，ワイドバンドレポートであり，一方，第３レポートは，サブバンドレポートである。ＰＴＩ＝０であるとき，第２レポート及び第３レポートは，両方がワイドバンドであるから，第２レポート及び第３レポートのフィードバック周期が類似していことは自然である。しかし，ＰＴＩ＝１であるとき，第３レポートは，サブバンドレポートであり，これは，第３レポートのフィードバック周期が第２レポートのフィードバック周期と比べて短くなければならないことを意味する。
[53]　ＮＰ２を第２レポートの周期とし，ＮＰ３を第３レポートの周期とする。例示的な方法において，レポートの両方の期間の単位は，サブフレームになることができる。次に：
[54]　Ｈ＝ＮＰ２／ＮＰ３＋１であり，
[55]　ここで，ＮＰ２／ＮＰ３は，第２レポートの期間と第３レポートの期間との間の比率である。期間の比率は，ＰＴＩ値によることに留意されたい。したがって，本発明の好ましい実施例において，Ｈの値は，ＰＴＩの値による。例えば，ＰＴＩ＝０であるとき，Ｈ＝２または３である。そしてＰＴＩ＝１であるとき，Ｈ＝Ｊ＊Ｋ＋１であり，ここで，Ｊは，帯域幅部分の数であり，Ｋは，前記階層シグナリングを利用して基地局（ｅＮＢ）からシグナリングされ得る定数である。他の例において，ＰＴＩ＝０であるとき，Ｈの値は，上位階層によってシグナリングされることができる。そしてＰＴＩ＝１であるとき，Ｈ＝Ｊ＊Ｋ＋１であり，ここで，Ｊは，帯域幅部分の数であり，Ｋは，前記階層シグナリングを利用して基地局によってシグナリングされる定数である。
[56]　ＮＰ１を第１レポートの期間とする。次に：
[57]　Ｍ＝ＮＰ１／ＮＰ２である。
[58]　本発明の好ましい実施例において，Ｍの値も，ＰＴＩの値による。さらに，Ｍ０及びＨ０を，ＰＴＩ＝０であるとき，周期の比率であるとする。そしてＭ１及びＨ１をＰＴＩ＝１であるとき，周期の比率とする。次に，４個の量の間に次の条件が維持される：
[59]　Ｈ０＊Ｍ０＝Ｈ１＊Ｍ１。
[60]　特定例のために，１０ＭＨｚ全体システム帯域幅を仮定する。したがって，帯域幅部分（ｂａｎｄｗｉｄｔｈ  ｐａｒｔｓ；ＢＰｓ）Ｊ＝３である。もし，Ｋ＝１なら，Ｈ１＝４である。もし，Ｍ１＝２なら，Ｈ１＊Ｍ１＝４＊２＝８＝Ｈ０＊Ｍ０＝２＊４である。
[61]　本発明の一部実施例において，Ｈ及び／またはＭの正確な値は，上位階層シグナリングを利用してシグナリングされることができる。
[62]　移動端末（ＭＳ）から基地局（ＢＳ）にフィードバック報告は，図４及び図５により明確に示す。）
（５）「[71] Furthermore, in order to limit the maximum payload size of Report 2 to 11 bits, codebook subset selection (codebook sub-sampling) is performed on the codebook of W1 and/or the codebook of W2. Accordingly, conditioned on the value of PTI, the codebook of W1 can be either sub-sampled or not sub-sampled. If PTI = 0, then C1 (the codebook of W1) is not sub-sampled (codebook subset selection is not applied to C1). If PTI = 1, then C1 (the codebook of W1) is sub-sampled (codebook subset selection is applied to C1).」（第１１ページ）
（［当審仮訳］：
[71]　さらに，第２レポートの最大ペイロードサイズを１１ビットに制限するために，コードブックサブセット選択（コードブックサブサンプリング）がＷ１のコードブック及び／またはＷ２のコードブックで行われる。したがって，ＰＴＩの値の条件によって，Ｗ１のコードブックは，サブ−サンプリングされるか（ｓｕｂ−ｓａｍｐｌｅｄ），またはサブ−サンプリングされない。もし，ＰＴＩ＝０なら，Ｃ１（Ｗ１のコードブック）は，サブサンプリングされない（コードブックサブセット選択は，Ｃ１に適用されない）。もし，ＰＴ１＝１なら，Ｃ１（Ｗ１のコードブック）は，サブサンプリングされる（コードブックサブセット選択は，Ｃ１に適用される）。）
（６）「[90] Alternative 1: Rank dependent codebook subset selection (codebook sub-sampling) is performed for subband W2 feedback when PTI = 1. For example, Rank 2/3/4 codebook of W2 when PTI = 1 is a subset of W2 when PTI = 0 in PUCCH feedback. Also, Rank 2/3/4 codebook of W2 when PTI = 1 in PUCCH feedback is a subset of W2 in PUSCH feedback. For the example where the C2 is sub-sampled and the payload for the sub-sampled C2 is 2 bits for rank 2/3/4, TABLE 3 shows the payloads for subband CQI feedback in CSI mode 1.」（第１４ページ）
（［当審仮訳］：
[90]　代案１：ランク従属コードブックサブセット選択（コードブックサブサンプリング）がＰＴＩ＝１であるとき，サブバンドＷ２フィードバックのために行われる。例えば，ＰＴＩ＝１であるとき，Ｗ２のランク２／３／４コードブックは，ＰＵＣＣＨフィードバックでＰＴＩ＝０であるとき，Ｗ２のサブセットである。また，ＰＵＣＣＨフィードバックでＰＴＩ＝１であるとき，Ｗ２のランク２／３／４コードブックは，ＰＵＳＣＨフィードバックでＷ２のサブセットである。Ｃ２がサブサンプリングされ，サブサンプリングされたＣ２のためのペイロードがランク２／３／４に対して２ビットである場合を例示すれば，表３は，ＣＳＩモード１でサブバンドＣＱＩフィードバックのためのペイロードを示す。）
　上記先願明細書の記載及び図面並びにこの分野における技術常識を考慮すると，
ア　上記（１）の記載によれば，フィードバックは，ＬＴＥ−Ａ（Ｌｏｎｇ  Ｔｅｒｍ  Ｅｖｏｌｕｔｉｏｎ  Ａｄｖａｎｃｅｄ）において，物理アップリンク（上り）制御チャネル（ＰＵＣＣＨ；ｐｈｙｓｉｃａｌ  ｕｐｌｉｎｋ  ｃｏｎｔｒｏｌ  ｃｈａｎｎｅｌ）によりなされている。また，上記（３）及び（４）の記載によれば，前記フィードバックは，ランク指示子（ＲＩ）及びプリコーダー形式指示子ＰＴＩ（ｐｒｅｃｏｄｅｒ  ｔｙｐｅ  ｉｎｄｉｃａｔｉｏｎ）を含んでおり，移動端末（ＭＳ）から基地局（ＢＳ）にフィードバックされるものである。さらに，上記（６）の記載によれば，前記移動端末と前記基地局との間でランク２／３／４すなわち複数のレイヤによる伝送を行うことを前提としていることから，ランク指示子（ＲＩ）及びプリコーダー形式指示子ＰＴＩを含む前記フィードバックが，当該複数のレイヤによる伝送のために行われていることは明らかである。
　また，「移動端末（ＭＳ）」と「基地局（ＢＳ）」とは，それぞれ独立した装置であり，両者の間で「無線」により通信を行うことは明らかであるから，それぞれ「移動端末装置」及び「無線基地局装置」ということができ，両者からなるシステムを「無線通信システム」と称することは任意である。
　したがって，先願明細書には，「複数のレイヤによる伝送のために物理上り制御チャネルにＰＴＩ（Precoder　Type　Indicatior）を含めて移動端末装置から無線基地局装置にフィードバックするＬＴＥ−Ａ（Long　Term　Evolution−Advanced）の無線通信システム」が記載されていると認められる。
イ　上記（４）の記載によれば，リリース８ＰＵＣＣＨモード２−１の拡張は，物理上り制御チャネルに１ビットプリコーダー形式指示子（ＰＴＩ；ｐｒｅｃｏｄｅｒ  ｔｙｐｅ  ｉｎｄｉｃａｔｉｏｎ）を含めてフィードバックするモードであり，上記アで述べたとおり，当該フィードバックは，複数のレイヤによる伝送のために行われるものであって，移動端末（ＭＳ）から基地局（ＢＳ）にフィードバックされるものであるから，当該フィードバックを基地局（ＢＳ）が受信することは明らかである。
　また，上記（４）の記載によれば，前記リリース８ＰＵＣＣＨモード２−１の拡張において，ＰＴＩ＝０であるとき，第２レポート及び第３レポートのフィードバック周期が類似していことは自然であるが，ＰＴＩ＝１であるとき，第３レポートのフィードバック周期が第２レポートのフィードバック周期と比べて短くなければならないとされており，その一態様であるFig.4及びFig.5からは，第２レポート及び第３レポートの周期が，ＰＴＩ＝０の場合（Fig.4）とＰＴＩ＝１の場合（Fig.5）とで異なっていることが見て取れる。さらに，上記（３）の記載によれば，第２レポートは，Ｗ１（ＰＴＩ＝０の時），ないしワイドバンドＣＱＩ及びワイドバンドＷ２（ＰＴＩ＝１の時）をレポートすなわち送信し，第３レポートは，ワイドバンドＣＱＩ及びワイドバンドＷ２（ＰＴＩ＝０の時），ないしサブバンドＣＱＩ及びサブバンドＷ２（ＰＴＩ＝１の時）をレポートすなわち送信する。
　さらに，Fig.4及びFig.5からは，第１レポート，第２レポート及び第３レポートが異なるタイミングで，すなわち時分割多重されてフィードバックすなわち送信されることが見て取れ，上記（３）の記載によれば，前記フィードバックはシグナリングすなわち信号により行われるから，第１レポート，第２レポート及び第３レポートは，時分割多重された信号として送信されるといえる。
　したがって，先願明細書には，「前記移動端末装置は，複数のレイヤによる伝送のために物理上り制御チャネルにＰＴＩ（Precoder　Type　Indicatior）を含めて無線基地局装置にフィードバックするリリース８ＰＵＣＣＨモード２−１において，ＰＴＩ＝０の場合に第２レポートにて送信されるＷ１並びに第３レポートにて送信されるワイドバンドＣＱＩ及びワイドバンドＷ２の送信周期を，ＰＴＩ＝１の場合の第２レポートにて送信されるワイドバンドＣＱＩ及びワイドバンドＷ２並びに第３レポートにて送信されるサブバンドＣＱＩ及びサブバンドＷ２の送信周期と異ならせて時分割多重し，多重した信号を前記物理上り制御チャネルで無線基地局装置に送信し，前記無線基地局装置は，前記物理上り制御チャネルを介して前記多重した信号を受信する」ことが記載されていると認められる。
　したがって，先願明細書には以下の発明（以下，「先願発明」という。）が記載されているものと認める。  
「　複数のレイヤによる伝送のために物理上り制御チャネルにＰＴＩ（Precoder　Type　Indicatior）を含めて移動端末装置から無線基地局装置にフィードバックするＬＴＥ−Ａ（Long　Term　Evolution−Advanced）の無線通信システムであって，
　前記移動端末装置は，複数のレイヤによる伝送のために物理上り制御チャネルにＰＴＩ（Precoder　Type　Indicatior）を含めて無線基地局装置にフィードバックするリリース８ＰＵＣＣＨモード２−１において，ＰＴＩ＝０の場合に第２レポートにて送信されるＷ１並びに第３レポートにて送信されるワイドバンドＣＱＩ及びワイドバンドＷ２の送信周期を，ＰＴＩ＝１の場合の第２レポートにて送信されるワイドバンドＣＱＩ及びワイドバンドＷ２並びに第３レポートにて送信されるサブバンドＣＱＩ及びサブバンドＷ２の送信周期と異ならせて時分割多重し，多重した信号を前記物理上り制御チャネルで無線基地局装置に送信し，前記無線基地局装置は，前記物理上り制御チャネルを介して前記多重した信号を受信することを特徴とする無線通信システム。」
　ここで，上記ＰＣＴ／ＫＲ２０１１／００６８６８号はパリ条約による優先権主張を伴う出願であるところ，優先権主張の基礎となる米国仮特許出願（６１／３８４１５６　２０１０年９月１７日提出）の明細書には以下の事項が記載されている。
（７）「[003] In 3GPP RAN1 #62bis meeting, a way forward on the signalling for PUCCH feedback is agreed in [1]. To be specific, three PUCCH feedback modes are agreed with 2 candidates for the extension of Rel-8 PUCCH mode 1-1 and one candidate for the extension of Rel-8 PUCCH mode 2-1.
[004] To be specific, the candidate for the PUCCH subband feedback (extension of Rel-8 PUCCH mode 2-1) is listed as
[005] Extension of Rel.8 PUCCH mode 2-1
[006] W is determined from 3-subframe report conditioned upon the latest RI report
[007] Reporting format
[008] Report 1: RI and 1-bit precoder type indication (PTI)
[009] Report 2:
[010] PTI = 0: W1 will be reported
[011] PTI = 1: wideband CQI and wideband W2 will be reported
[012] Report 3:
[013] PTI = 0: wideband CQI and wideband W2 will be reported
[014] PTI = 1: subband CQI,subband W2
[015] Transmission of subband selection indicator wersus predefined cycling is FFS
[016] For 2 and 4 tx, PTI is assumed to be set to 1 and is not signalled」（第１〜２ページ）
（［当審仮訳］：
[003]　３ＧＰＰ　ＲＡＮ１  ＃６２ｂｉｓミーティングで，[1]において，ＰＵＣＣＨフィードバックのためのシグナリングに対する進展に同意した。特に，３ＰＵＣＣＨフィードバックモードは，リリース８ＰＵＣＣＨモード１−１の拡張のための２つの候補及びリリース８ＰＵＣＣＨモード２−１の拡張のための１つの候補に同意した。
[004]　より具体的に，ＰＵＣＣＨサブバンドフィードバックのための候補（リリース８ＰＵＣＣＨモード２−１の拡張）は，次のように列挙される
[005]　リリース８ＰＵＣＣＨモード２−１の拡張
[006]　Ｗは，最近のＲＩ（ランク指示子）レポートに対する条件によって３サブフレームレポートから決定される
[007]　レポート形式
[008]　第１レポート：ＲＩ及び１ビットプリコーダー形式指示子（ＰＴＩ）
[009]　第２レポート：
[010]　ＰＴＩ＝０：Ｗ１がレポートされる
[011]　ＰＴＩ＝１：ワイドバンドＣＱＩ及びワイドバンドＷ２がレポートされる
[012]　第３レポート：
[013]　ＰＴＩ＝０：ワイドバンドＣＱＩ及びワイドバンドＷ２がレポートされる
[014]　ＰＴＩ＝１：サブバンドＣＱＩ，サブバンドＷ２，
[015]　サブバンド選択指示子の伝送と事前定義されたサイクルはさらに検討すべきである
[016]　２及び４送信に対して，ＰＴＩは，１に設定されるものと推定され，シグナリングされない。）
（８）「[094] Mode 2-1 description:
[095] In the subframe where RI is reported (only for transmission mode 4 and transmission mode 8):
[096] A UE shall determine a RI assuming transmission on set S subbands.
[097] The UE shall report a type 3 report consisting of one RI.
[098] In the subframe where wideband CQI/PMI is reported:
[099] A single precoding matrix is selected from the codebook subset assuming transmission on set S subbands.
[0100] A UE shall report a type 2 report on each respective successive reporting opportunity consisting of:
[0101] A wideband CQI value which is calculated assuming the use of a single preceding matrix in all subbands and transmission on set S subbands.
[0102] The selected single preceding matrix indicator (wideband PMI).」（第１１〜１２ページ）
（［当審仮訳］：
[094]　モード２−１の説明：
[095]　ＲＩがレポートされるサブフレームにおいて（伝送モード４及び伝送モード８においてのみ）
[096]　ＵＥはセットＳサブバンドにおける送信を仮定することによりＲＩを決定する。[097]　ＵＥは１つのＲＩを含むタイプ３レポートをレポートする。
[098]　ワイドバンドＣＱＩ／ＰＭＩがレポートされるサブフレームにおいて：
[099]　セットＳサブバンドにおける送信を仮定することにより単一のプリコーディング行列がコードブックサブセットから選択される。
[0100]　ＵＥはそれぞれ連続するレポート機会において，以下を含むタイプ２レポートをレポートする。
[0101]　単一のプリコーディング行列の全てのサブバンドにおける使用及びセットＳサブバンドにおける送信を仮定することにより計算されるワイドバンドＣＱＩ値。
[0102]　選択された単一のプリコーディング行列インジケータ（ワイドバンドＰＭＩ）。
（９）「[0117] In CSI mode 1, the extension of PUCCH mode 2-1 will allow both the subband feedback and the wideband feedback to be multiplexed in the same feedback mode depending on the value of PTI. To be specific, we have
[0118] when PTI = 0, both Report 2 and Report 3 are wideband report;
[0119] when PTI = 1, Report 2 is wideband report while Report 3 is subband report.
[0120] When PTI = 0, since both Report 2 and Report 3 are wideband, it is natural that the feedback periodicity of Report 2 and Report 3 are similar. However, when PTI = 1, Report 3 is subband report which means that the feedback periodicity of the Report 3 should be much smaller as opposed to that of Report 2.
[0121] Let NP2 be the period of Report 2 and NP3 be the period of Report 3. For example, the unit of the period of both reports may be subframes. Accordingly,
[0122] H = NP2 / NP3
[0123] is the ratio between the period of Report 2 and that of Report 3.
[0124] Therefore, in one enbodiment of the current invention, we propose to have different H values depending on the value of PTI. For example,
[0125] when PTI = 0, H = 2 or 3;
[0126] when PTI = 1, H = J * K + 1, where J is the number of bandwidth parts and K is some constant
[0127] Let NP1 be the period of Report 1, then
[0128] M = NP1 / NP2.
[0129] We also propose that the value of M will be different depending on the value of PTI. Furthermore, let M0 and H0 be the periodicity ratios when PTI equals 0 and M1 and H1 be the periodicity ratios when PTI equals 1, then we propose that the following condition among the four quantity:
[0130] H0 * M0 = H1 * M1
[0131] holds.
[0132] For a particular example, assume 10 MHz total system bandwidth (accordingly, J = 3), Let K = 1, we have H1 = 4. Let M1 = 2, we have H1 * M1 = 4 * 2 = 8 = H0 * M0 = 2 * 4. The feedback report from UE to eNB can be seen more clearly in Figure 1 and Figure 2.」（第１４〜１６ページ）
（［当審仮訳］：
[0117]　ＣＳＩモード１で，ＰＵＣＣＨモード２−１の拡張は，ＰＴＩの値によって，サブバンドフィードバック及びワイドバンドフィードバックの両方が同一のフィードバックモードで多重化されるようにする。さらに詳細には，
[0118]　ＰＴＩ＝０であるとき，第２レポート及び第３レポートの両方は，ワイドバンドレポートであり；
[0119]　ＰＴＩ＝１であるとき，第２レポートは，ワイドバンドレポートであり，一方，第３レポートは，サブバンドレポートである。
[0120]　ＰＴＩ＝０であるとき，第２レポート及び第３レポートの両方は，ワイドバンドであるから，第２レポート及び第３レポートのフィードバック周期が類似していことは自然である。しかし，ＰＴＩ＝１であるとき，第３レポートは，サブバンドレポートであり，これは，第３レポートのフィードバック周期が第２レポートのそれに対してとても短くなければならないことを意味する。
[0121]　ＮＰ２を第２レポートの周期とし，ＮＰ３を第３レポートの周期とする。例えば，レポートの両方の期間の単位は，サブフレームになることができる。ゆえに，
[0122]　Ｈ＝ＮＰ２／ＮＰ３
[0123]　は，第２レポートの期間と第３レポートのそれとの間の比率である。
[0124]　したがって，本発明の一実施例において，我々はＰＴＩの値に依存する異なるＨの値を提案する。例えば，
[0125]　ＰＴＩ＝０であるとき，Ｈ＝２または３である；
[0126]　ＰＴＩ＝１であるとき，Ｈ＝Ｊ＊Ｋ＋１であり，ここで，Ｊは，帯域幅部分の数であり，Ｋは，ある定数である。
[0127]　ＮＰ１を第１レポートの期間とする。次に
[0128]　Ｍ＝ＮＰ１／ＮＰ２である。
[0129]　我々は，Ｍの値がＰＴＩの値に依存して異なることも提案する。さらに，Ｍ０及びＨ０を，ＰＴＩが０に等しいとき，周期の比率であるとする。そしてＭ１及びＨ１をＰＴＩが１に等しいとき，周期の比率とする。次に，我々は，４個の量の間に次の条件：
[0130]　Ｈ０＊Ｍ０＝Ｈ１＊Ｍ１。
[0131]　が維持されることを提案する。
[0132]　特定例のために，１０ＭＨｚ全体システム帯域幅を仮定する（したがって，Ｊ＝３である），Ｋ＝１とすると，Ｈ１＝４を得る。Ｍ１＝２とすると，Ｈ１＊Ｍ１＝４＊２＝８＝Ｈ０＊Ｍ０＝２＊４を得る。ＵＥ（移動端末）からｅＮＢ（基地局）へのフィードバック報告は，図１及び図２により明確に示す。）
（１０）「[0144] Furthermore, in order to make the maximum payload size of Report 2 to be in 11 bits, we propose to perform codebook subset selection (codebook sub-sampling) on the codebook of W1 and/or the codebook of W2. Accordingly, conditioned on the value of PTI, the codebook of W1 can be either sub-sampled or not sub-sampled.」（第１７ページ）
（［当審仮訳］：
[0144]　さらに，第２レポートの最大ペイロードサイズを１１ビット以内にするために，我々はコードブックサブセット選択（コードブックサブサンプリング）をＷ１のコードブック及び／またはＷ２のコードブックにて行うことを提案する。したがって，ＰＴＩの値の条件によって，Ｗ１のコードブックは，サブ−サンプリングされるか（ｓｕｂ−ｓａｍｐｌｅｄ），またはサブ−サンプリングされない。）
（１１）「[0201] Alt. 1: We propose to perform rank dependent codebook subset selection (codebook sub-sampling) for subband W2 feedback when PTI = 1. For example,
[0202] Rank 2/3/4 codebook of W2 when PTI = 1 is a subset of that of W2 when PTI = 0 in PUCCH feedback.
[0203] Rank 2/3/4 codebook of W2 when PTI = 1 in PUCCH feedback is a subset of that of W2 in PUSCH feedback.
[0204] For the example where the C2 is sub-sampled and the payload for the sub-sampled C2 is 2 bit for rank 2/3/4, we have the following payload for subband CQI feedback in CSI mode 1.」（第２２〜２３ページ）
（［当審仮訳］：
[0201]　代案１：我々は，ランク従属コードブックサブセット選択（コードブックサブサンプリング）を，ＰＴＩ＝１であるとき，サブバンドＷ２フィードバックのために行うことを提案する。例えば，
[0202]　ＰＴＩ＝１であるとき，Ｗ２のランク２／３／４コードブックは，ＰＵＣＣＨフィードバックでＰＴＩ＝０であるとき，Ｗ２のそれのサブセットである。
[0203]　ＰＵＣＣＨフィードバックでＰＴＩ＝１であるとき，Ｗ２のランク２／３／４コードブックは，ＰＵＳＣＨフィードバックでＷ２のそれのサブセットである。
[0204]　Ｃ２がサブサンプリングされ，サブサンプリングされたＣ２のためのペイロードがランク２／３／４に対して２ビットである場合を例示すれば，我々はＣＳＩモード１でサブバンドＣＱＩフィードバックのための次のペイロードを得る。）
（１２）「[0221] This invention is currently being proposed to 3GPP LTE-A standards. If adopted, this invention will be used by 3GPP-LTE-A-compliant base stations and handsets globally.」（第２６ページ）
（［当審仮訳］：
[0221]　この発明は現在３ＧＰＰのＬＴＥ−Ａ標準に提案されている。もし採用されたら，この発明は３ＧＰＰ−ＬＴＥ−Ａに従う基地局と端末に広範囲に使われる。）
（１３）「
」
（［当審仮訳］：
）
　上記摘記事項のうち，（１），（３），（４），（５）及び（６）の事項は，それぞれ（１２），（７），（９），（１０）及び（１１）に実質的に記載されており，先願明細書のFig.4及びFig.5は，それぞれ（１３）のFigure 1及びFigure 2に対応するものである。
　また，（２）の事項に関しては，上記米国仮特許出願の明細書には直接的な記載はないが，（８）及び（１０）をはじめとする上記米国仮特許出願の明細書全体に記載した事項との関係において，新たな技術的事項を導入するものではない。
　したがって，優先権主張の基礎となる米国仮特許出願の明細書と先願明細書とは表現ぶりが異なるものの，先願発明は，先願明細書及び優先権主張の基礎となる第一国出願の明細書に共通に記載されている発明であることは明らかである。したがって，先願発明は２０１０年９月１７日に我が国へ出願があったものとして扱われる。
３　対比
　本願発明と先願発明とを対比すると，
（１）「複数のレイヤ」は複数の送信アンテナを用いたＭＩＭＯ伝送を行う際の概念であるから，先願発明において複数の送信アンテナを用いたＭＩＭＯ伝送を行うことは明らかである。そして，上記「２　先願発明」の項の（３）及び（４）のとおり，先願明細書にはランク指示子（ＲＩ）を含むフィードバックが移動端末から基地局になされることが記載されているから，当該フィードバックに基づく複数の送信アンテナを用いたＭＩＭＯ伝送が，基地局から移動端末へ向けて，すなわち下り方向で行われていることも明らかである。よって，先願発明の「複数のレイヤによる伝送」は，「複数の送信アンテナを用いた下りＭＩＭＯ伝送」を意味するといえる。
　したがって，両者は，「複数の送信アンテナを用いた下りＭＩＭＯ伝送のために物理上り制御チャネルにＰＴＩ（Precoder　Type　Indicatior）を含めて移動端末装置から無線基地局装置にフィードバックするＬＴＥ−Ａ（Long　Term　Evolution−Advanced）の無線通信システム」である点で差異はない。
（２）
（２−１）先願発明の「物理上り制御チャネルにＰＴＩ（Precoder　Type　Indicatior）を含めて基地局にフィードバックするリリース８ＰＵＣＣＨモード２−１」は，明らかに，本願発明の「物理上り制御チャネルにＰＴＩ（Precoder　Type　Indicatior）を含めて無線基地局装置にフィードバックするモード」に含まれる。
（２−２）本願明細書の【００２７】によれば，本願発明の「レポート２」は，ＰＴＩ＝０の場合にワイドバンドＷＢ（ワイドバンド）−ＰＭＩ１がフィードバックされ，ＰＴＩ＝１の場合にＷＢ−ＣＱＩ及びＷＢ−ＰＭＩ２がフィードバックされるものを含んでおり，本願発明の「レポート３」は，ＰＴＩ＝０の場合にＷＢ−ＣＱＩ及びＷＢ−ＰＭＩ２がフィードバックされ，ＰＴＩ＝１の場合にＳＢ（サブバンド）−ＣＱＩ及びＳＢ−ＰＭＩ２がフィードバックされるものを含んでいる。
　一方，先願発明の「第２レポート」は，ＰＴＩ＝０の場合にワイドバンドレポートとしてのＷ１すなわちワイドバンドＰＭＩ１がフィードバックされ，ＰＴＩ＝１の場合にワイドバンドＣＱＩ及びワイドバンドＷ２すなわちワイドバンドＰＭＩ２がフィードバックされ，先願発明の「第３レポート」は，ＰＴＩ＝０の場合にワイドバンドＣＱＩ及びワイドバンドＷ２すなわちワイドバンドＰＭＩ２がフィードバックされ，ＰＴＩ＝１の場合にサブバンドＣＱＩ及びサブバンドＷ２すなわちサブバンドＰＭＩ２がフィードバックされるものである。
　してみれば，先願発明の「第２レポート」及び「第３レポート」は，本願発明の「レポート２」及び「レポート３」にそれぞれ相当する。そして，先願発明の「Ｗ１」，「ワイドバンドＣＱＩ」「ワイドバンドＷ２」，「サブバンドＣＱＩ」及び「サブバンドＷ２」は，フィードバックされる情報であるから，明らかに本願発明の「フィードバック情報」に含まれる。
　したがって，先願発明の「ＰＴＩの値が０の場合に第２レポート及び第３レポートにて送信されるＷ１並びにワイドバンドＣＱＩ及びワイドバンドＷ２」は，本願発明の「ＰＴＩの値が０の場合にレポート２及びレポート３に対応するフィードバック情報」に含まれ，先願発明の「ＰＴＩ＝１の場合の第２レポート及び第３レポートにて送信されるワイドバンドＣＱＩ及びワイドバンドＷ２並びにサブバンドＣＱＩ及びサブバンドＷ２」は，本願発明の「ＰＴＩ＝１の場合のレポート２及びレポート３に対応するフィードバック情報」に含まれる。
（２−３）先願発明の「時分割多重し」は，明らかに「多重し」に含まれる。
（２−４）してみると，本願発明と先願発明とは，「前記移動端末装置は，複数の送信アンテナを用いた下りＭＩＭＯ伝送のために物理上り制御チャネルにＰＴＩ（Precoder　Type　Indicatior）を含めて無線基地局装置にフィードバックするモードにおいて，ＰＴＩの値が０の場合にレポート２及びレポート３に対応するフィードバック情報の送信周期を，ＰＴＩ＝１の場合のレポート２及びレポート３に対応するフィードバック情報の送信周期と異ならせて多重し，多重した信号を前記物理上り制御チャネルで無線基地局装置に送信し，前記無線基地局装置は，前記物理上り制御チャネルを介して前記多重した信号を受信することを特徴とする無線通信システム。」の点で共通している。
　したがって，本願発明と先願発明とを対比すると，両者は，以下の点で一致している。
（一致点）
「　複数の送信アンテナを用いた下りＭＩＭＯ伝送のために物理上り制御チャネルにＰＴＩ（Precoder　Type　Indicatior）を含めて移動端末装置から無線基地局装置にフィードバックするＬＴＥ−Ａ（Long　Term　Evolution−Advanced）の無線通信システムであって，
　前記移動端末装置は，複数の送信アンテナを用いた下りＭＩＭＯ伝送のために物理上り制御チャネルにＰＴＩ（Precoder　Type　Indicatior）を含めて無線基地局装置にフィードバックするモードにおいて，ＰＴＩの値が０の場合にレポート２及びレポート３に対応するフィードバック情報の送信周期を，ＰＴＩ＝１の場合のレポート２及びレポート３に対応するフィードバック情報の送信周期と異ならせて多重し，多重した信号を前記物理上り制御チャネルで無線基地局装置に送信し，前記無線基地局装置は，前記物理上り制御チャネルを介して前記多重した信号を受信することを特徴とする無線通信システム。」
　一方，本願発明は，移動端末装置が，「伝送のために・・・異ならせて多重する多重部」と，「多重した信号を・・・送信する送信部」と，を具備するのに対し，先願発明は「伝送のために・・・異ならせて多重」する処理及び「多重した信号を・・・送信」する処理を行っているものの，それぞれの処理を行うための「多重部」と「送信部」とを具備することが明らかでない点で一応の相違がみられるので，この点について以下検討する。
　物の発明において，各処理を行う装置手段を独立して設けることは，当業者における慣用技術であるから，移動端末装置に「伝送のために・・・異ならせて多重する多重部」と，「多重した信号を・・・送信する送信部」とを具備することは，先願発明に上記慣用技術を付加するものである。そして，当該慣用技術を付加することにより，新たな効果を奏するものではない。
　してみると，上記の点は，課題解決のための具体化手段における微差に過ぎない。
　以上のとおりであるから，本願発明と先願発明は実質的に同一である。 
４　むすび 
　以上のとおり，本願発明は，先願の国際出願日における国際出願の明細書，請求の範囲又は図面に記載された発明と実質的に同一であって，しかも，本願発明の発明者が上記先願の発明者と同一であるとも，また，本願の出願時に，その出願人が上記先願の出願人と同一であるとも認められないので，特許法第２９条の２の規定により特許を受けることができないものであるから，本願は拒絶すべきものである。 
　よって，結論のとおり審決する。